(57)【要約】【課題】地震などの災害発生時、建築物の建具開口部において、枠体に外部応力が加わり変形し、ドア本体がその圧縮力を受けることにより開放不可能となることを防止するための金具を提供し、屋内からの速やかな避難を目指すことを課題とする。    【解決手段】ドア本体の上部及び下部の小口部分１５に球状の支承体を連ねた部材を内蔵する開放金具１を組み込むことにより、外部応力を受け始めると同時にその圧縮力を利用し、開放方向へドア本体を押し出す。その時、戸先側縦枠４の中央部に位置するラッチ受けプレート２内の開口の背面形状１６においても、ラッチを滑り出させドア本体の開放を促すために、斜めの角度を持たせた山型に形成することを具備する。【選択図】図１
2007247222.tif 000002
【特許請求の範囲】
【請求項１】
ドア本体の小口部分に組み込まれる開放金具において、前記金具は、上方面を金属製などの硬質性の球状の支承体を連ねた部材で構成され、側面にも支承体を内蔵し、縦枠及び横枠の入隅部に架る外部応力を２面の支承体で受けることを特徴とする金具を備えるドアである。
【請求項２】
請求項１の金具とともに戸の開放を促すため、戸先側縦枠の中央に位置するラッチ受けプレート２はラッチの収まる開口の背面形状を図３の１６で示すとおり、斜めの角度を持たせた山型に形成することを特徴とするプレートである。
【発明の詳細な説明】
【技術分野】
【０００１】
本発明は、地震などの災害発生時に屋内からの速やかな避難を目的とする開放金具を備えるドアに関するものである。
【背景技術】
【０００２】
建具開口部における対策として、ドア本体が圧縮力を受け開かなくなった場合、ドアの内部にもうひとつの小ドアを設け、避難手段とする事例がある（例えば、特許文献１参照。）。
また、ドアの小口角部に円柱状のローラーを数台取り付け、開放を促す手段とする事例がある（例えば、特許文献２参照。）。
【０００３】
【特許文献１】特開平２００４−６８２５４
【特許文献２】特開平１１−２１０３４０
【発明の開示】
【発明が解決しようとする課題】
【０００４】
以上に述べた従来の技術のうち、ドア本体内部に小ドアを設ける事例においては、圧縮力を受けたドア本体の変形が小ドアにも同じように影響をきたし、開放不可能になることが考えられる。
また、既存建築物に取り付ける場合、ドア本体を新設しなければならないため費用面で高価になり、かつ、工事も大掛かりなものとなる。
【０００５】
次に、ドア本体の小口角部にローラーを取り付ける事例においては、枠体からの圧縮力を、ドア本体の小口に取り付けられたローラー部が受けるが、円柱状のローラー部は一方向にしか回転を有しない。
地震による建物の揺れは、図６の１７で示される開閉方向に対して平行の一直線上の動きだけをするものではなく、多方向からの力が働く。図６の１８で示される横枠と同一方向の外部応力が働いた場合には、ローラー部を回転させることが不可能になるため、逆にストッパーとなり得る。取り付け場所においてもドア内側から金具本体が見えてしまうこ
２
とも好ましくない。
【０００６】
本発明は、このような従来の構成が有していた問題を解決しようとするものであり、安価な費用で取り付け可能な開放金具を利用したドアからの速やかな避難を実現することを目標とするものである。
【課題を解決するための手段】
【０００７】
そして、本発明は上記目的を達成するために、ドア本体の小口に組み込まれる上方面（ドア本体下部に取り付ける場合にあっては下方面）を金属製などの硬質性の球状の支承体を連ねた部材で構成され、その側面にも支承体を内蔵する金具により、地震などの外部応力が発生した際、その圧縮力を利用し球状の支承体を自在に回転させドア本体を開放方向へ押導する。
【０００８】
また、第２の課題解決手段は、ドア本体が開放金具１により開放動作を始める時点で、ドアの取手と連動するラッチも、ラッチ受けプレートの開口部から速やかに開放され離れる状態にするため、ラッチ内の開口背面形状を通常は直線であるが、山型に盛り上げラッチ背面の直線部と接触し強いモーメントが加わることにより、ドアが傾斜しラッチも傾きラッチ受けプレートの開口部から外れる。並びに、その山型の裾部両端は、鋭角に切り込むことにより、ラッチの背から伝わる応力で切断させ、ラッチを開放させる機能も併せ持つ。
【０００９】
上記第１の課題解決手段による作用は次の通りである。
ドア本体の小口部分に組み込まれた開放金具１は、枠体の変形により圧縮力を受け始めると同時に、その枠体から押し付けられ、連なる球体のうちのひとつに力が伝達され回転を始め、次々に隣接する球体もその力を受け繰り出されドア本体を開放方向へと移動させることが出来る。
【００１０】
この時、圧縮力をいち早く受けるのは球体の先端であり、それは「点」である。外部応力が集約され「点」で受けることにより、面や線で受ける場合に比べ、ドア本体の開放を妨げる摩擦力が最小となり、外部応力の強さを摩擦力による軽減なしにそのまま開放力へと利用することが出来る。
３
【００１１】
また、第２の課題解決手段による作用は、ドア本体が上記金具により押し出される過程で、取手に付属するラッチ部分がラッチ受けホール内に留まったままドア本体の動きを阻害しないよう、ラッチ受けホール内の開口形状を従来の直線ではなく山型に形成し、ラッチを回転させながら外し易くする機能と、ラッチ受けホールプレート内の２ヶ所に鋭角部を設けることで、該プレート自体を開放方向に切断させる機能も併せ持ち、二重の効果を発揮する。
【発明の効果】
【００１２】
上述したように本発明の開放金具を備えるドアは、地震などから生じる不特定な多方向からの外部応力を当該応力が加わりはじめると同時に、金属製などの硬質性の球状の支承体を連ねた部材へ「点」で順次伝達し、ドア本体の開放を促し、人々の速やかな避難手段となる。
【００１３】
また、開放金具１のみを既存のドアに後付けすることも可能なため、ドアや枠体を新設する大掛かりな工事の必要がなく、施工時間も短く、安価に消費者に提供することが出来る。
【００１４】
次に、ラッチの突部がドア本体の開放動作の妨げにならないようラッチ受けプレート内の開口形状にも特徴を持たせることで相乗効果を生み、既存のプレートのみを本プレートに取り替えるだけの簡単な作業で提供出来る。
【００１５】
次に、ドア本体の小口や枠体の一部を加工するだけで、性能の確保が出来るため、木製ドア及び鋼製ドアに取り付け可能であり、ドアの表側、裏側に金具が露出することもなく美観を損なわない。
【００１６】
次に、小口に内蔵される開放金具１は２方向に球体が存在する。これは、外部応力を受けた縦枠と横枠が入隅部分で直角を保てなくなることで、ドアを開放不可能とする原因となるため、開放金具の２面のいずれかが常に力を受けて作動し、開放を促す特徴を持つ。
【発明を実施するための最良の形態】
【００１７】
以下、本発明の実施の形態を図１〜図１０に基づいて説明する。
【００１８】
図１において、１は外部応力を受けて作動する開放金具でドア本体３の小口部分１５に取り付けられている。２はドア本体３のラッチ１４を収納するラッチ受けプレートである。ドア本体３は蝶番８により、戸先側縦枠４、上部横枠５、吊元側縦枠６、下部横枠７の四方枠の内部に固定されている。
【００１９】
図２は、開放金具１の部材である球状の上部支承体２０と球状の側面部支承体２１である。
【００２０】
図３は、戸先側縦枠４の中央部に位置するラッチ受けプレート２であり、ドアが閉まっている時は点線で表示されるラッチ１４が収まる。その開口の背面加工部分１６は通常、直線であるが山型に形成されている。ドアの戸当り１３が枠中央に固定されている。
【００２１】
図４においては、開放金具１の取り付け位置をドア正面図に表示する。ここで、四方枠４、５、６、７に囲まれるドア本体３の上部の両端部２ヶ所と、取手１０の下部左側１ヶ所の合計３ヶ所に内蔵される。床面を示す９の下側に点線で示されるのがドアの下部横枠７である。
【００２２】
また、図５の断面図において、上部横枠用傾斜プレート１１と下部横枠用平（ひら）プレート１２が、開放金具１にそれぞれ接することでドア本体３を開放方向１９に導く。
【００２３】
また、図６の断面図においては、開放金具１の側面部の支承体を受ける縦枠用平（ひら）プレート２２、開閉方向を示す１７、横枠方向を示す１８である。ここで、開放金具１の正確な位置を表示する。
【００２４】
図７〜図１０は、開放金具１の詳細であり、球状の上部支承体２０と球状の側面部支承体２１である。
【００２５】
以下、上記部材構成の動作を説明する。地震などの災害発生時、枠４、５、６、７に対
して外部応力が加わり、枠体の変形が始まる。ドア本体３の四隅部のうち、吊元側縦枠６の下部隅部は直上に蝶番８があり、枠体からの変形を受けにくい場所であるため、その他の３ケ所に開放金具が内蔵されている。球状の支承体２０の先端が枠体に固定されている表面が平滑な硬質性のプレート１１、１２、２２に接し外部応力を受ける。
【００２６】
特に大きな外部応力が加わる上部横枠５に固定される横枠用傾斜プレート１１から連なる球状の支承体２０の先端に、面ではなく点で伝わることにより摩擦抵抗が最小になり、より大きな外部応力を集中して受けた支承体のひとつが自在に回転しながら開放方向１９へすべり出す。同時に、連なる球状の支承体先端も順次プレートに接しながら押し出され、戸先を大きく開放させ速やかな避難を目指す手段となる。
【００２７】
地震の揺れが図６における戸先側縦枠４に圧縮力を加えた場合は、接する開放金具１の球状の支承体２０のうち枠に近いほうから奥へ、また吊元側縦枠６に圧縮力を加えた場合も、接する開放金具１の球状の支承体２０のうち枠に近いほうから奥へと圧縮力を伝えてドア本体３を移動させるため、開放金具１の内蔵位置は図上で明示されるよう「ハ」の字型に固定し、図５に示すとおり上部横枠用傾斜プレート１１の圧縮力を受け易いよう開放金具１にも傾斜をもたせる。
【００２８】
また、戸先側縦枠４に固定されるラッチ受けプレート２において、開口部の背面加工部分１６は、災害発生時にドアのラッチ１４が留まり開放金具１による開放動作を妨げることのないよう、背面部分を山型にすることでラッチ１４は斜めにカットされた部分にすべり込みながら外れることを目的とする。また、外部応力の向きや大きさによっては、背面加工部分１６の上下鋭角部の先端１６′部分にラッチ１４に伝達された歪みが加わることにより、ラッチ受けプレートの鋭角部を切断し、ラッチ１４を外すという効果を併せ持つ。以上のように、本実施形態によれば、外部応力を受け変形した枠体にドア本体の小口部分１５が押し付けられ開かなくなる事態を防止する効果が得られるものである。
【図面の簡単な説明】
【００２９】
【図１】開放金具及びラッチ受けプレートが取り付けられたドアの斜視図である。
【図２】本発明の開放金具の斜視図である。
【図３】戸先側縦枠中央のラッチ受けプレートの正面図である。
【図４】開放金具とラッチ受けプレートの位置を示すドア正面図である。
【図５】図４におけるＡ―Ａ′断面図である。
【図６】図４におけるＢ―Ｂ′断面図である
【図７】開放金具単体の平面図である。
【図８】開放金具単体の側面図である。
【図９】開放金具の長辺方向の断面図である。
【図１０】開放金具の短辺方向の断面図である。
【符号の説明】
【００３０】
１    開放金具
２    ラッチ受けプレート
３    ドア本体
４    戸先側縦枠
５    上部横枠
６    吊り元側縦枠
７    下部横枠
８    蝶番
９    床面を示す
１０  取手
１１  上部横枠用傾斜プレート
１２  下部横枠用平（ひら）プレート
１３  戸当り
１４  ラッチ
１５  ドアの小口部分
１６  ラッチ受けプレート背面加工部分
１７  開閉方向を示す
１８  横枠方向を示す
１９  ドアの開放方向を示す
２０  球状の上部支承体
２１  球状の側面部支承体
２２  側面部縦枠用平（ひら）プレート
【図１】
2007247222.tif 000003
【図２】
2007247222.tif 000004
【図３】
2007247222.tif 000005
【図４】
2007247222.tif 000006
【図５】
2007247222.tif 000007
【図６】
2007247222.tif 000008
【図７】
2007247222.tif 000009
【図８】
2007247222.tif 000010
【図９】
2007247222.tif 000011
【図１０】
2007247222.tif 000012